(57)【要約】【課題】表示部に表示された経時的に変化する被検者の生体情報に基づく医療従事者の判断を支援する。【解決手段】インターフェースには、経時的に変化する生体情報に対応する信号が入力される。メモリに記憶された少なくとも一つの命令が実行されると、前記信号に基づいて波形情報Ｗが生成され、所定時間ごとに波形情報Ｗの形状因子の値が取得される。取得された形状因子の値は、数値情報として表示部１５に表示される。形状因子は、立上り角度θｒ、頂部角度θｐ、立下り角度θｆ、立上り速度Ｖｒ、頂部速度Ｖｐ、立下り速度Ｖｆ、波形下面積Ａ、立上り−立下り時間間隔Ｔｒｆ、立下り−立上り時間間隔Ｔｆｒ、立上り−立上り時間間隔Ｔｒｒ、および立下り−立下り時間間隔Ｔｆｆの少なくとも一つを含んでいる。【選択図】図２
2019150560.tif 000002
【特許請求の範囲】
【請求項１】
経時的に変化する生体情報に対応する信号が入力される入力インターフェースと、
プロセッサと、
前記プロセッサが実行可能な少なくとも一つの命令を記憶するメモリと、
表示部と、
を備えており、
前記少なくとも一つの命令が前記プロセッサにより実行されると、
前記信号に基づいて波形情報が生成され、
所定時間ごとに前記波形情報の形状因子の値が取得され、
取得された前記形状因子の値、当該値の経時変化、および当該経時変化を示す標識の少なくとも一つが前記表示部に表示され、
前記形状因子は、立上り角度、頂部角度、立下り角度、立上り速度、立上り速度の絶対値、頂部速度、頂部速度の絶対値、立下り速度、立下り速度の絶対値、波形下面積、立上り−立下り時間間隔、立下り−立上り時間間隔、立上り−立上り時間間隔、および立下り−立下り時間間隔の少なくとも一つを含んでいる、
生体情報表示装置。
【請求項２】
前記少なくとも一つの命令が前記プロセッサにより実行されると、前記値の経時変化の大きさに応じて前記標識が変化する、
請求項１に記載の生体情報表示装置。
【請求項３】
前記表示部における表示に供される前記形状因子の種別は、ユーザによる選択が可能である、
請求項１または２に記載の生体情報表示装置。
【請求項４】
被検者の属性情報、前記生体情報とは別の生体情報、および外部医療機器の動作パラメータ情報の少なくとも一つと前記表示部における表示に供される前記形状因子の種別との対応関係が、予め定められている、
請求項１から３のいずれか一項に記載の生体情報表示装置。
【請求項５】
前記値が所定の閾値範囲内にない場合に報知を行なう報知部を備えている、
請求項１から４のいずれか一項に記載の生体情報表示装置。
【請求項６】
前記生体情報は、呼吸気に含まれる二酸化炭素または酸素の分圧または濃度である、
請求項１から５のいずれか一項に記載の生体情報表示装置。
【請求項７】
経時的に変化する生体情報に対応する信号が入力される入力インターフェースと、
プロセッサと、
前記プロセッサが実行可能な少なくとも一つの命令を記憶するメモリと、
出力インターフェースと、
を備えており、
前記少なくとも一つの命令が前記プロセッサにより実行されると、
前記信号に基づいて波形情報が生成され、
所定時間ごとに前記波形情報の形状因子の値が取得され、
取得された前記形状因子の値、当該値の経時変化、および当該経時変化を示す標識の少なくとも一つを表示装置に表示させる制御信号が、前記出力インターフェースから出力され、
前記形状因子は、立上り角度、頂部角度、立下り角度、立上り速度、立上り速度の絶対値、頂部速度、頂部速度の絶対値、立下り速度、立下り速度の絶対値、波形下面積、立上り−立下り時間間隔、立下り−立上り時間間隔、立上り−立上り時間間隔、および立下り−立下り時間間隔の少なくとも一つを含んでいる、
表示制御装置。
【請求項８】
表示制御装置のプロセッサにより実行される少なくとも一つの命令を含むコンピュータプログラムであって、
前記少なくとも一つの命令が前記プロセッサにより実行されると、
前記表示制御装置の入力インターフェースに入力された経時的に変化する生体情報に対応する信号に基づいて波形情報が生成され、
所定時間ごとに前記波形情報の形状因子の値が取得され、
取得された前記形状因子の値、当該値の経時変化、および当該経時変化を示す標識の少なくとも一つを表示装置に表示させる制御信号が、前記表示制御装置の出力インターフェースから出力され、
前記形状因子は、立上り角度、頂部角度、立下り角度、立上り速度、立上り速度の絶対値、頂部速度、頂部速度の絶対値、立下り速度、立下り速度の絶対値、波形下面積、立上り−立下り時間間隔、立下り−立上り時間間隔、立上り−立上り時間間隔、および立下り−立下り時間間隔の少なくとも一つを含んでいる、
コンピュータプログラム。
【発明の詳細な説明】
【技術分野】
【０００１】
本開示は、経時的に変化する被検者の生体情報を表示する装置に関連する。本開示は、当該生体情報の表示を制御する装置、および当該装置に表示を制御させるコンピュータプログラムにも関連する。
【背景技術】
【０００２】
経時的に変化する被検者の生体情報としては、呼吸気における二酸化炭素濃度（分圧）、脈波、心電図、脳波などが例示されうる。特許文献１は、被検者の呼吸気における二酸化炭素濃度の経時変化をリアルタイムに表示する装置を開示している。当該装置は、縦軸と横軸を有する表示領域を備えている。縦軸は、二酸化炭素濃度値を示す。横軸は、時間の経過を示す。結果として、表示領域には二酸化炭素濃度値の経時変化を示す波形が表示される。
【０００３】
上記のような生体情報は、同様の変化傾向が繰り返し現れるという特徴を有している。例えば二酸化炭素濃度の場合、被検者の呼気とともに値が上昇し、吸気とともに値が減少する。被検者の容体変化や異常は、波形形状の特徴的な変化として現れる。医療従事者は、そのような変化に注目することによって、被検者の容体変化や異常を判断する。
【先行技術文献】
【特許文献】
【０００４】
【特許文献１】特開２０１７−０３５４７３号公報
【発明の概要】
【発明が解決しようとする課題】
【０００５】
本開示は、表示部に表示された経時的に変化する被検者の生体情報に基づく医療従事者の判断を支援することを目的とする。
【課題を解決するための手段】
【０００６】
上記の目的を達成するための本発明の一態様は、生体情報表示装置であって、
経時的に変化する生体情報に対応する信号が入力されるインターフェースと、
プロセッサと、
前記プロセッサが実行可能な少なくとも一つの命令を記憶するメモリと、
表示部と、
を備えており、
前記少なくとも一つの命令が前記プロセッサにより実行されると、
前記信号に基づいて波形情報が生成され、
所定時間ごとに前記波形情報の形状因子の値が取得され、
取得された前記形状因子の値、当該値の経時変化、および当該経時変化を示す標識の少なくとも一つが値前記表示部に表示され、
前記形状因子は、立上り角度、頂部角度、立下り角度、立上り速度、立上り速度の絶対値、頂部速度、頂部速度の絶対値、立下り速度、立下り速度の絶対値、波形下面積、立上り−立下り時間間隔、立下り−立上り時間間隔、立上り−立上り時間間隔、および立下り−立下り時間間隔の少なくとも一つを含んでいる。
【０００７】
上記の目的を達成するための本発明の一態様は、表示制御装置であって、
経時的に変化する生体情報に対応する信号が入力される入力インターフェースと、
プロセッサと、
前記プロセッサが実行可能な少なくとも一つの命令を記憶するメモリと、
出力インターフェースと、
を備えており、
前記少なくとも一つの命令が前記プロセッサにより実行されると、
前記信号に基づいて波形情報が生成され、
所定時間ごとに前記波形情報の形状因子の値が取得され、
取得された前記形状因子の値、当該値の経時変化、および当該経時変化を示す標識の少なくとも一つを表示装置に表示させる制御信号が、前記出力インターフェースから出力され、
前記形状因子は、立上り角度、頂部角度、立下り角度、立上り速度、立上り速度の絶対値、頂部速度、頂部速度の絶対値、立下り速度、立下り速度の絶対値、波形下面積、立上り−立下り時間間隔、立下り−立上り時間間隔、立上り−立上り時間間隔、および立下り−立下り時間間隔の少なくとも一つを含んでいる。
【０００８】
上記の目的を達成するための本発明の一態様は、表示制御装置のプロセッサにより実行される少なくとも一つの命令を含むコンピュータプログラムであって、
前記少なくとも一つの命令が前記プロセッサにより実行されると、
前記表示制御装置の入力インターフェースに入力された経時的に変化する生体情報に対応する信号に基づいて波形情報が生成され、
所定時間ごとに前記波形情報の形状因子の値が取得され、
取得された前記形状因子の値、当該値の経時変化、および当該経時変化を示す標識の少なくとも一つを表示装置に表示させる制御信号が、前記表示制御装置の出力インターフェースから出力され、
前記形状因子は、立上り角度、頂部角度、立下り角度、立上り速度、立上り速度の絶対値、頂部速度、頂部速度の絶対値、立下り速度、立下り速度の絶対値、波形下面積、立上り−立下り時間間隔、立下り−立上り時間間隔、立上り−立上り時間間隔、および立下り−立下り時間間隔の少なくとも一つを含んでいる。
【０００９】
例えば、被検者の呼吸気における二酸化炭素濃度または分圧に係る波形情報について立上り角度と頂部角度に対応する情報が表示される場合、医療従事者は、これらを参照することにより、慢性閉塞性肺疾患の判定を支援されうる。
【００１０】
例えば、被検者の呼吸気における二酸化炭素濃度または分圧に係る波形情報について頂部角度と立下り角度に対応する情報が表示される場合、医療従事者は、これらを参照することにより、被検者の換気状態の変化や人工呼吸器における呼吸回路異常の判定を支援されうる。
【００１１】
例えば、被検者の呼吸気における二酸化炭素濃度または分圧に係る波形情報について立上り速度、頂部速度、および立下り速度に対応する情報が表示される場合、医療従事者は、これらを参照することにより、慢性閉塞性肺疾患の判定を支援されうる。
【００１２】
例えば、被検者の呼吸気における二酸化炭素濃度または分圧に係る波形情報について立上り速度と立下り速度に対応する情報が表示される場合、医療従事者は、これらを参照することにより、二酸化炭素濃度のピーク値が減少する原因を区別でき、人工呼吸器における適正な換気量の設定を支援されうる。
【００１３】
例えば、被検者の呼吸気における二酸化炭素濃度または分圧に係る波形情報について波形下面積に対応する情報が表示される場合、医療従事者は、これを参照することにより、被検者の換気状態の変化や人工呼吸器における呼吸回路異常の判定を支援されうる。あるいは、医療従事者は、この情報を参照することにより、被検者の自発呼吸や換気状態改善の判定を支援されうる。
【００１４】
例えば、被検者の呼吸気における二酸化炭素濃度または分圧に係る波形情報について立上り−立下り時間間隔と立下り−立上り時間間隔が表示される場合、医療従事者は、これらを参照することにより、被検者の実際のＩ：Ｅ比（吸気継続時間と呼気継続時間の比）を認識できる。実際のＩ：Ｅ比を人工呼吸器において設定されたＩ：Ｅ比と比較することにより、被検者の換気状態の判定が支援されうる。
【００１５】
例えば、被検者の呼吸気における二酸化炭素濃度または分圧に係る波形情報について立上り−立上り時間間隔Ｔｒｒまたは立下り−立下り時間間隔Ｔｆｆに対応する情報が表示される場合、医療従事者は、これらを参照することにより、被検者に生じた呼吸抑制の判定を支援されうる。
【図面の簡単な説明】
【００１６】
【図１】一実施形態に係る生体情報表示装置の構成を示している。
【図２】上記の生体情報表示装置に表示される形状因子の値の例を示している。
【図３】上記の生体情報表示装置の表示部の動作を示す第一の例を示している。
【図４】上記の生体情報表示装置の表示部の動作を示す第二の例を示している。
【図５】上記の生体情報表示装置の表示部の動作を示す第三の例を示している。
【図６】上記の生体情報表示装置の表示部の動作を示す第四の例を示している。
【図７】上記の生体情報表示装置の表示部の動作を示す第五の例を示している。
【図８】上記の生体情報表示装置の表示部の動作を示す第六の例を示している。
【図９】上記の生体情報表示装置の表示部の動作を示す第七の例を示している。
【図１０】上記の生体情報表示装置の表示部の動作を示す第八の例を示している。
【図１１】一実施形態に係る表示制御装置の構成を示している。
【発明を実施するための形態】
【００１７】
添付の図面を参照しつつ、実施形態の例を以下詳細に説明する。各図面においては、説明対象の各要素を認識可能な大きさとするために縮尺を適宜変更している。
【００１８】
図１に示されるように、一実施形態に係る生体情報表示装置１は、入力インターフェース１１を備えている。センサＳを通じて検出された被検者の生体情報に対応する信号は、入力インターフェース１１に入力される。信号の入力は、有線接続を介して行なわれてもよいし、無線通信を介して行なわれてもよい。入力インターフェース１１は、入力された信号を後段の処理に必要なデータに変換する回路を含んでいる。当該回路としては、Ａ／Ｄ変換回路、フィルタ回路などが例示されうる。
【００１９】
生体情報表示装置１は、プロセッサ１２とメモリ１３を備えている。プロセッサ１２としては、ＣＰＵ、ＭＰＵ、ＧＰＵなどが例示されうる。プロセッサ１２は、複数のプロセッサコアを含みうる。メモリ１３としては、ＲＯＭ、ＲＡＭなどが例示されうる。メモリ１３には、後述の処理を実行するためのコンピュータプログラムが記憶されうる。当該コンピュータプログラムは、予めメモリ１３に格納されていてもよいし、入力インターフェース１１と不図示の通信ネットワークを介して外部のサーバからダウンロードされてもよい。当該コンピュータプログラムは、人工知能プログラムを含みうる。人工知能プログラムしては、ディープラーニングによる学習済みニューラルネットワークが例示されうる。当該コンピュータプログラムは、プロセッサ１２が実行可能な命令の一例である。例えば、プロセッサ１２は、ＲＯＭに記憶されたコンピュータプログラムの少なくとも一部を指定してＲＡＭ上に展開し、ＲＡＭと協働して後述の処理を実行しうる。
【００２０】
プロセッサ１２とメモリ１３は、通信バス１４を介して入力インターフェース１１と接続されている。適当な通信インターフェースを介して入力インターフェース１１との通信が可能であれば、プロセッサ１２とメモリ１３の少なくとも一方は、入力インターフェース１１が設けられている筐体から独立した筐体内に設けられてもよい。
【００２１】
生体情報表示装置１は、表示部１５を備えている。表示部１５は、通信バス１４を介して入力インターフェース１１、プロセッサ１２、およびメモリ１３と接続されている。
【００２２】
本例においては、センサＳは、被検者の呼吸気における二酸化炭素濃度（分圧）を検出する。すなわち、センサＳは、検出された二酸化炭素濃度の値に対応する信号を出力する。メモリ１３に記憶されたプログラムがプロセッサ１２により実行されると、センサＳから入力インターフェース１１に入力された信号に基づいて、二酸化炭素濃度値の経時変化を示す波形情報が生成される。
【００２３】
図２の（Ａ）は、生成される波形情報Ｗの一例を示している。縦軸は、二酸化炭素濃度の値を表している。横軸は、時間の経過を表している。被検者の呼気により二酸化炭素濃度値は増加し、被検者の吸気により二酸化炭素濃度値は減少する。被検者の呼吸が繰り返されることにより、二酸化炭素濃度値の増加と減少が交互に繰り返される。
【００２４】
続いて、所定時間Ｔごとに波形情報Ｗの形状因子の値が取得される。「形状因子」とは、二酸化炭素濃度値の増減パターン形状を特徴づける種々のパラメータである。図２の（Ａ）に例示される各形状因子の詳細は、以下の通りである。
θｒ：立上り角度（濃度値が急増する部分の勾配）
θｐ：頂部角度（濃度値がピーク値付近で漸増する部分の勾配）
θｆ：立下り角度（濃度値が急減する部分の勾配）
Ｖｒ：立上り速度（濃度値が急増する部分の変化速度）
Ｖｐ：頂部速度（濃度値がピーク値付近で漸増する部分の変化速度）
Ｖｆ：立下り速度（濃度値が急減する部分の変化速度）
Ｖｒａ：Ｖｒの絶対値
Ｖｐａ：Ｖｔの絶対値
Ｖｆａ：Ｖｆの絶対値
Ｔｒｆ：立上り−立下り時間間隔（濃度値の増加開始時点から減少終了時点までの時間間隔）
Ｔｆｒ：立下り−立上り時間間隔（ある増減パターンの濃度値減少終了時点から次の増減パターンの濃度値増加開始時点までの時間間隔）
Ｔｒｒ：立上り−立上り時間間隔（ある増減パターンの濃度値増加開始時点から次の増減パターンの濃度値増加開始時点までの時間間隔）
Ｔｆｆ：立下り−立下り時間間隔（ある増減パターンの濃度値減少終了時点から次の増減パターンの濃度値減少終了時点までの時間間隔）
Ａ：波形下面積（基準濃度値を示すベースラインと波形により囲まれる領域の面積）
【００２５】
なお、「濃度値が急増する部分」は、例えば濃度値がピーク値の１０％から９０％まで増加する部分として定義されうる。「濃度値が漸増する部分」は、例えば濃度値がピーク値の９０％からピーク値まで増加する部分として定義されうる。「濃度値が急減する部分」は、例えば濃度値がピーク値の９０％から１０％まで減少する部分として定義されうる。「濃度値の増加開始時点」は、例えば増加する濃度値がピーク値の１０％に達した時点として定義されうる。「濃度値の減少終了時点」は、例えば減少する濃度値がピーク値の１０％に達した時点として定義されうる。
【００２６】
あるいは、濃度値変化の微分値（変化速度）を取得することにより、「濃度値が急増する部分」、「濃度値が漸増する部分」、および「濃度値が急減する部分」が定められてもよい。例えば、取得された微分値が所定の正の閾値を上回っている区間が「濃度値が急増する部分」として定義されうる。同様に、当該微分値が所定の正の閾値以下である区間が「濃度値が漸増する部分」として定義され、当該微分値が所定の負の閾値を下回っている区間が「濃度値が急減する部分」として定義されうる。
【００２７】
図２の（Ｂ）に示されるように、センサＳから入力インターフェース１１へ入力される信号に基づいて随時生成される波形情報Ｗは、表示部１５に表示される。加えて、上記のように取得された形状因子が、値として表示部１５に表示される。
【００２８】
図示の例において、表示部１５は、第一表示領域５１、第二表示領域５２、および第三表示領域５３を含んでいる。第一表示領域５１には、立上り角度θｒの数値が表示されている。第二表示領域５２には、頂部角度θｐの数値が表示されている。第三表示領域５３には、立下り角度θｆの数値が表示されている。これらの数値は、波形情報Ｗのうち、最新の増減パターンについて取得されたものでありうる。
【００２９】
取得される少なくとも一つの形状因子は、上記の形状因子群から適宜に選択されうる。あるいは、全ての形状因子が取得された後、表示部１５の表示に供される少なくとも一つの形状因子が適宜に選択されうる。
【００３０】
所定時間Ｔは、取得される形状因子に応じて適宜に設定されうる。例えば立上り角度θｒ、頂部角度θｐ、立下り角度θｆ、立上り速度Ｖｒ、頂部速度Ｖｐ、立下り速度Ｖｆ、Ｖｒ、Ｖｐ、およびＶｆの各絶対値、立上り−立下り時間間隔Ｔｒｆ、および波形下面積Ａの少なくとも一つが取得される場合、所定時間Ｔは、一回分の二酸化炭素濃度値の増減パターンが収まる程度の時間として設定されうる。立下り−立上り時間間隔Ｔｆｒ、立上り−立上り時間間隔Ｔｒｒ、および立下り−立下り時間間隔Ｔｆｆの少なくとも一つが取得される場合、当該時間が収まる程度の時間として設定されうる。
【００３１】
表示部１５に表示された形状因子の値の変化から様々な情報を読み取ることができる。図３から図１０を参照しつつ、八つの具体例を示す。
【００３２】
図３の（Ａ）は、形状因子として立上り角度θｒと頂部角度θｐが取得される第一の例を示している。本例においては、これらの形状因子が慢性閉塞性肺疾患の判定に利用される。
【００３３】
閉塞性肺疾患の症状の一つは、気道の狭窄である。二酸化酸素濃度値の最大値と単位時間当たりの呼吸数を測定する従来の装置によっては、これらの測定値の表示から気道の狭窄の進行状態を明確に読み取ることが困難である。本願発明者は、気道の狭窄の進行とともに二酸化炭素濃度値の増減パターンにおける立上り角度θｒと頂部角度θｐに特徴的な変化が現れることに着目し、これらの形状因子に対応する情報を表示することで慢性閉塞性肺疾患の判定を支援できるとの着想を得た。
【００３４】
図３の（Ａ）においては、気管支閉塞の進行に伴い変化する波形情報Ｗが表示部１５に表示されている（破線は、参考用の基準線であって、表示部１５には表示されない）。気管支閉塞の進行とともに、立上り角度θｒが減少し、頂部角度θｐが増大していることが判る。
【００３５】
表示部１５には、立上り角度θｒと頂部角度θｐの各値が表示されうる。この場合、最も新しく取得された形状因子の値（最も右側の増減パターンについて取得された値）が表示される。したがって、医療従事者は、これらの値を参照することにより、慢性閉塞性肺疾患の判定を支援されうる。
【００３６】
これに加えてあるいは代えて、各値の経時変化を示す標識が、表示部１５に表示されうる。本例においては、先に取得された形状因子の値（中央の増減パターンについて取得された値）に対する最も新しく取得された形状因子の値（最も右側の増減パターンについて取得された値）の増減を示す矢印が、標識の一例として表示されている。矢印に加えてあるいは代えて、形状因子の種別を示す文字と形状因子の値を示す文字の少なくとも一方の色が、増減に応じて変更されてもよい。すなわち、表示される「色」もまた標識の一例である。
【００３７】
このような構成によれば、立上り角度θｒと頂部角度θｐの各経時的変化の傾向が、より直感的に視認されうる。したがって、慢性閉塞性肺疾患の判定の支援性を高めることができる。
【００３８】
図３の（Ｂ）に示されるように、形状因子の値が取得される度に、すなわち表示部１５に表示される複数の増減パターンの各々に対応づけて形状因子の値が表示されてもよい。このような構成によれば、立上り角度θｒと頂部角度θｐの各経時的変化のより長期的な傾向が容易に把握されうる。したがって、慢性閉塞性肺疾患の判定の支援性を高めることができる。
【００３９】
これに加えてあるいは代えて、図３の（Ｃ）に示されるように、表示部１５に表示されている時間区間における立上り角度θｒと頂部角度θｐの各経時的変化が、グラフ形式で表示されてもよい。このような構成によっても、立上り角度θｒと頂部角度θｐの各経時的変化のより長期的な傾向が容易に把握されうる。したがって、慢性閉塞性肺疾患の判定の支援性を高めることができる。
【００４０】
図４の（Ａ）は、形状因子として頂部角度θｐと立下り角度θｆが取得される第二の例を示している。本例においては、これらの形状因子が、被検者の換気状態の変化や人工呼吸器における呼吸回路異常の判定に利用される。
【００４１】
新生児に対して人工呼吸器が使用される場合、カフを備えていない挿管チューブが用いられることが一般的であるので、呼気が人工呼吸器へ戻らずに外部へリークする場合がある。二酸化酸素濃度値の最大値と単位時間当たりの呼吸数を測定する従来の装置によっては、二酸化濃度値の低下原因が呼吸回路におけるリーク量の増大によるものなのか、あるいは被検者の換気量の低下によるものなのかを判定することが困難である。リーク量の増大によっても換気量の低下によっても、リーク率は増大する。本願発明者は、呼吸回路におけるリーク率の増大とともに二酸化炭素濃度値の増減パターンにおける頂部角度θｐと立下り角度θｆに特徴的な変化が現れることに着目し、これらの形状因子に対応する情報を表示することで、被検者の換気状態の変化や呼吸回路異常の判定を支援できるとの着想を得た。
【００４２】
図４の（Ａ）においては、リーク率の増大あるいは換気量の低下に伴い変化する波形情報Ｗが表示部１５に表示されている（破線は、参考用の基準線であって、表示部１５には表示されない）。リーク率の増大とともに、頂部角度θｐが減少し、立下り角度θｆが増大していることが判る。
【００４３】
表示部１５には、頂部角度θｐと立下り角度θｆの各値が表示されうる。この場合、最も新しく取得された形状因子の値（最も右側の増減パターンについて取得された値）が表示される。したがって、医療従事者は、これらの値を参照することにより、被検者の換気状態の変化や人工呼吸器における呼吸回路異常の判定を支援されうる。
【００４４】
これに加えてあるいは代えて、各値の経時変化を示す標識が、表示部１５に表示されうる。本例においては、先に取得された形状因子の値（中央の増減パターンについて取得された値）に対する最も新しく取得された形状因子の値（最も右側の増減パターンについて取得された値）の増減を示す矢印が、標識の一例として表示されている。矢印に加えてあるいは代えて、形状因子の種別を示す文字と形状因子の値を示す文字の少なくとも一方の色が、増減に応じて変更されてもよい。
【００４５】
このような構成によれば、頂部角度θｐと立下り角度θｆの各経時的変化の傾向が、より直感的に視認されうる。したがって、被検者の換気状態の変化や人工呼吸器における呼吸回路異常の判定の支援性を高めることができる。
【００４６】
図４の（Ｂ）に示されるように、形状因子の値が取得される度に、すなわち表示部１５に表示される複数の増減パターンの各々に対応づけて形状因子の値が表示されてもよい。このような構成によれば、頂部角度θｐと立下り角度θｆの各経時的変化のより長期的な傾向が容易に把握されうる。したがって、被検者の換気状態の変化や人工呼吸器における呼吸回路異常の判定の支援性を高めることができる。
【００４７】
これに加えてあるいは代えて、図４の（Ｃ）に示されるように、表示部１５に表示されている時間区間における頂部角度θｐと立下り角度θｆの各経時的変化が、グラフ形式で表示されてもよい。このような構成によっても、頂部角度θｐと立下り角度θｆの各経時的変化のより長期的な傾向が容易に把握されうる。したがって、被検者の換気状態の変化や人工呼吸器における呼吸回路異常の判定の支援性を高めることができる。
【００４８】
図５の（Ａ）は、形状因子として立上り速度Ｖｒ、頂部速度Ｖｐ、および立下り速度Ｖｆ（あるいはこれらの絶対値）が取得される第三の例を示している。本例においては、これらの形状因子が慢性閉塞性肺疾患の判定に利用される。
【００４９】
閉塞性肺疾患の症状の一つは、気道の狭窄である。二酸化酸素濃度値の最大値と単位時間当たりの呼吸数を測定する従来の装置によっては、これらの測定値の表示から気道の狭窄の進行状態を明確に読み取ることが困難である。本願発明者は、気道の狭窄の進行とともに二酸化炭素濃度値の増減パターンにおける立上り速度Ｖｒ、頂部速度Ｖｐ、および立下り速度Ｖｆに特徴的な変化が現れることに着目し、これらの形状因子に対応する情報を表示することで慢性閉塞性肺疾患の判定を支援できるとの着想を得た。
【００５０】
図５の（Ａ）においては、気管支閉塞の進行に伴い変化する波形情報Ｗが表示部１５に表示されている（破線は、参考用の基準線であって、表示部１５には表示されない）。気管支閉塞の進行とともに、立下り速度Ｖｆはほとんど変化しないまま、立上り速度Ｖｒが減少し、頂部速度Ｖｐが増大していることが判る。
【００５１】
表示部１５には、立上り速度Ｖｒ、頂部速度Ｖｐ、および立下り速度Ｖｆの各値が表示されうる。この場合、最も新しく取得された形状因子の値（最も右側の増減パターンについて取得された値）が表示される。したがって、医療従事者は、これらの値を参照することにより、慢性閉塞性肺疾患の判定を支援されうる。
【００５２】
これに加えてあるいは代えて、各値の経時変化を示す標識が、表示部１５に表示されうる。本例においては、先に取得された形状因子の値（中央の増減パターンについて取得された値）に対する最も新しく取得された形状因子の値（最も右側の増減パターンについて取得された値）の増減を示す矢印が、標識の一例として表示されている。矢印に加えてあるいは代えて、形状因子の種別を示す文字と形状因子の値を示す文字の少なくとも一方の色が、増減に応じて変更されてもよい。
【００５３】
本例においては、先に取得された形状因子の値に対して最も新しく取得された形状因子の値の増減が所定値よりも小さい場合、水平方向の矢印によって示されている。このような矢印に加えてあるいは代えて、形状因子の種別を示す文字と形状因子の値を示す文字の少なくとも一方が、増減を伴う場合とは異なる色で表示されてもよい。この標識の表示例は、他の図に示される表示例にも適用可能である。
【００５４】
このような構成によれば、立上り速度Ｖｒ、頂部速度Ｖｐ、および立下り速度Ｖｆの各経時的変化の傾向が、より直感的に視認されうる。したがって、慢性閉塞性肺疾患の判定の支援性を高めることができる。
【００５５】
図５の（Ｂ）に示されるように、形状因子の値が取得される度に、すなわち表示部１５に表示される複数の増減パターンの各々に対応づけて形状因子の値が表示されてもよい。このような構成によれば、立上り速度Ｖｒ、頂部速度Ｖｐ、および立下り速度Ｖｆの各経時的変化のより長期的な傾向が容易に把握されうる。したがって、慢性閉塞性肺疾患の判定の支援性を高めることができる。
【００５６】
これに加えてあるいは代えて、図５の（Ｃ）に示されるように、表示部１５に表示されている時間区間における立上り速度Ｖｒ、頂部速度Ｖｐ、および立下り速度Ｖｆの各経時的変化が、グラフ形式で表示されてもよい。このような構成によっても、立上り速度Ｖｒ、頂部速度Ｖｐ、および立下り速度Ｖｆの各経時的変化のより長期的な傾向が容易に把握されうる。したがって、慢性閉塞性肺疾患の判定の支援性を高めることができる。
【００５７】
図６の（Ａ）と（Ｂ）は、形状因子として立上り速度Ｖｒと立下り速度Ｖｆが取得される第四の例を示している。本例においては、これらの形状因子が人工呼吸器における適正な換気量の設定に利用される。
【００５８】
新生児に対して人工呼吸器が使用される場合、カフを備えていない挿管チューブが用いられることが一般的であるので、呼気が人工呼吸器へ戻らずに外部へリークする場合がある。他方、リークの存在に鑑みて換気量を増す設定を行なうと、被検者に過換気を生じるおそれがある。二酸化酸素濃度値の最大値と単位時間当たりの呼吸数を測定する従来の装置によっては、二酸化濃度値の低下原因が呼吸回路におけるリークによるものなのか、あるいは被検者に生じた過換気によるものなのかを区別することが困難である。本願発明者は、呼吸回路にリークが生じた場合と被検者に過換気が生じた場合とで、二酸化炭素濃度値の増減パターンにおける立上り速度Ｖｒと立下り速度Ｖｆに異なる変化が現れることに着目し、これらの形状因子に対応する情報を表示することで両者の区別を支援できるとの着想を得た。
【００５９】
図６の（Ａ）において、波形情報Ｗ１は、正常な呼吸回路に接続された被検者の呼吸気における二酸化炭素濃度値の増減パターンを示している。波形情報Ｗ２は、過換気が生じている被検者の呼吸気における二酸化炭素濃度値の増減パターンを示している。この場合、立上り速度Ｖｒと立下り速度Ｖｆがほぼ変わらないまま、二酸化炭素濃度のピーク値が減少していることが判る。図６の（Ｂ）において、波形情報Ｗ３は、リークが生じた呼吸回路に接続された被検者の呼吸気における二酸化炭素濃度値の増減パターンを示している。正常な波形情報Ｗ１と比較すると、立上り速度Ｖｒがほぼ変わらないまま、二酸化炭素濃度のピーク値と立下り速度Ｖｆが減少していることが判る。
【００６０】
表示部１５には、立上り速度Ｖｒと立下り速度Ｖｆの各値が表示されうる。この場合、最も新しく取得された形状因子の値が表示される。したがって、医療従事者は、これらの値を参照することにより、二酸化炭素濃度のピーク値が減少する原因を区別でき、人工呼吸器における適正な換気量の設定を支援されうる。
【００６１】
これに加えてあるいは代えて、各値の経時変化を示す標識が、表示部１５に表示されうる。本例においては、先に取得された形状因子の値に対する最も新しく取得された形状因子の値の増減を示す矢印が、標識の一例として表示されている。矢印に加えてあるいは代えて、形状因子の種別を示す文字と形状因子の値を示す文字の少なくとも一方の色が、増減に応じて変更されてもよい。
【００６２】
このような構成によれば、立上り速度Ｖｒと立下り速度Ｖｆの各経時的変化の傾向が、より直感的に視認されうる。したがって、人工呼吸器における適正な換気量の設定の支援性を高めることができる。
【００６３】
図３の（Ｂ）、図４の（Ｂ）、および図５の（Ｂ）に示した例のように、形状因子の値が取得される度に、すなわち表示部１５に表示される複数の増減パターンの各々に対応づけて形状因子の値が表示されてもよい。このような構成によれば、立上り速度Ｖｒと立下り速度Ｖｆの各経時的変化のより長期的な傾向が容易に把握されうる。したがって、人工呼吸器における適正な換気量の設定の支援性を高めることができる。
【００６４】
これに加えてあるいは代えて、図３の（Ｃ）、図４の（Ｃ）、および図５の（Ｃ）に示されるように、表示部１５に表示されている時間区間における立上り速度Ｖｒと立下り速度Ｖｆの各経時的変化が、グラフ形式で表示されてもよい。このような構成によっても、立上り速度Ｖｒと立下り速度Ｖｆの各経時的変化のより長期的な傾向が容易に把握されうる。したがって、人工呼吸器における適正な換気量の設定の支援性を高めることができる。
【００６５】
図７の（Ａ）は、形状因子として波形下面積Ａが取得される第五の例を示している。本例においては、この形状因子が、被検者の換気状態の変化や人工呼吸器における呼吸回路異常の判定に利用される。
【００６６】
新生児に対して人工呼吸器が使用される場合、カフを備えていない挿管チューブが用いられることが一般的であるので、呼気が人工呼吸器へ戻らずに外部へリークする場合がある。二酸化酸素濃度値の最大値と単位時間当たりの呼吸数を測定する従来の装置によっては、二酸化濃度値の低下原因が呼吸回路におけるリーク量の増大によるものなのか、あるいは被検者の換気量の低下によるものなのかを判定することが困難である。リーク量の増大によっても換気量の低下によっても、リーク率は増大する。本願発明者は、呼吸回路におけるリーク率の増大とともに二酸化炭素濃度値の増減パターンにおける波形下面積Ａに特徴的な変化が現れることに着目し、この形状因子に対応する情報を表示することで、被検者の換気状態の変化や呼吸回路異常の判定を支援できるとの着想を得た。
【００６７】
図７の（Ａ）においては、リーク率の増大に伴い変化する波形情報Ｗが表示部１５に表示されている（破線は、参考用の基準線であって、表示部１５には表示されない）。リーク率の増大あるいは被検者の換気量の低下とともに、波形下面積Ａが減少していることが判る。
【００６８】
表示部１５には、波形下面積Ａの値が表示されうる。この場合、最も新しく取得された形状因子の値（最も右側の増減パターンについて取得された値）が表示される。したがって、医療従事者は、この値を参照することにより、被検者の換気状態の変化や人工呼吸器における呼吸回路異常の判定を支援されうる。
【００６９】
これに加えてあるいは代えて、波形下面積Ａの値の経時変化を示す標識が、表示部１５に表示されうる。本例においては、先に取得された形状因子の値（中央の増減パターンについて取得された値）に対する最も新しく取得された形状因子の値（最も右側の増減パターンについて取得された値）の増減を示す矢印が、標識の一例として表示されている。矢印に加えてあるいは代えて、形状因子の種別を示す文字と形状因子の値を示す文字の少なくとも一方の色が、増減に応じて変更されてもよい。
【００７０】
このような構成によれば、波形下面積Ａの経時的変化の傾向が、より直感的に視認されうる。したがって、被検者の換気状態の変化や人工呼吸器における呼吸回路異常の判定の支援性を高めることができる。
【００７１】
図７の（Ｂ）に示されるように、形状因子の値が取得される度に、すなわち表示部１５に表示される複数の増減パターンの各々に対応づけて形状因子の値が表示されてもよい。このような構成によれば、波形下面積Ａの経時的変化のより長期的な傾向が容易に把握されうる。したがって、被検者の換気状態の変化や人工呼吸器における呼吸回路異常の判定の支援性を高めることができる。
【００７２】
これに加えてあるいは代えて、図７の（Ｃ）に示されるように、表示部１５に表示されている時間区間における波形下面積Ａの経時的変化が、グラフ形式で表示されてもよい。このような構成によっても、波形下面積Ａの各経時的変化のより長期的な傾向が容易に把握されうる。したがって、人工呼吸器における呼吸回路異常の判定の支援性を高めることができる。
【００７３】
図８の（Ａ）は、形状因子として波形下面積Ａが取得される第六の例を示している。本例においては、この形状因子が人工呼吸器に接続された被検者の換気状態の判定に利用される。
【００７４】
被検者の呼吸が人工呼吸器によって制御されている状況下にあっても、被検者自身の自発呼吸が混在する場合がある。自発呼吸の頻度が増す事実は、当該被検者の換気機能が快復し、人工呼吸器からの離脱時期が近付いていることの判断指標になりうる。二酸化酸素濃度値の最大値と単位時間当たりの呼吸数を測定する従来の装置によっては、これらの測定値の表示から自発呼吸の混在を明確に読み取ることが困難である。本願発明者は、被検者の自発呼吸が混在する場合に二酸化炭素濃度値の増減パターンにおける波形下面積Ａに特徴的な変化が現れることに着目し、この形状因子に対応する情報を表示することで被検者の換気状態改善の判定を支援できるとの着想を得た。
【００７５】
図８の（Ａ）において、波形情報Ｗ１は、人工呼吸器の強制換気のみによる被検者の呼吸気における二酸化炭素濃度値の増減パターンを示している。波形情報Ｗ２は、強制換気に被検者の自発呼吸が加わった場合の二酸化炭素濃度値の増減パターンを示している。自発呼吸の混在に伴い、波形下面積Ａが一定でなくなることが判る。
【００７６】
表示部１５には、波形下面積Ａの値が表示されうる。この場合、最も新しく取得された形状因子の値が表示される。したがって、医療従事者は、この値を参照することにより、被検者の自発呼吸や換気状態改善の判定を支援されうる。
【００７７】
これに加えてあるいは代えて、波形下面積Ａの値の経時変化を示す標識が、表示部１５に表示されうる。本例においては、波形下面積Ａの値がほぼ一定でないことを示す標識が表示されている。当該標識に加えてあるいは代えて、形状因子の種別を示す文字と形状因子の値を示す文字の少なくとも一方の色が、波形下面積Ａの値がほぼ一定でないことを示すために変更されてもよい。
【００７８】
このような構成によれば、波形下面積Ａの経時的変化の傾向が、より直感的に視認されうる。したがって、換気状態改善の判定の支援性を高めることができる。
【００７９】
図７の（Ｂ）に示した例のように、形状因子の値が取得される度に、すなわち表示部１５に表示される複数の増減パターンの各々に対応づけて形状因子の値が表示されてもよい。このような構成によれば、波形下面積Ａの経時的変化のより長期的な傾向が容易に把握されうる。したがって、換気状態改善の判定の支援性を高めることができる。
【００８０】
これに加えてあるいは代えて、図８の（Ｂ）に示されるように、表示部１５に表示されている時間区間における波形下面積Ａの経時的変化が、グラフ形式で表示されてもよい。このような構成によっても、波形下面積Ａの各経時的変化のより長期的な傾向が容易に把握されうる。したがって、換気状態改善の判定の支援性を高めることができる。
【００８１】
図９の（Ａ）と（Ｂ）は、形状因子として立上り−立下り時間間隔Ｔｒｆと立下り−立上り時間間隔Ｔｆｒが取得される第七の例を示している。本例においては、これらの形状因子が被検者の換気状態の判定に利用される。
【００８２】
人工呼吸器の使用に際しては、設定されたＩ：Ｅ比に基づいて被検者の呼吸が制御される。Ｉ：Ｅ比とは、吸気継続時間（Ｉ）と呼気継続時間（Ｅ）の比を表している。二酸化酸素濃度値の最大値と単位時間当たりの呼吸数を測定する従来の装置によっては、これらの測定値の表示から自発呼吸の混在を明確に読み取ることが困難である。本願発明者は、被検者の二酸化炭素濃度値の増減パターンにおける立上り−立下り時間間隔Ｔｒｆと立下り−立上り時間間隔Ｔｆｒが設定されたＩ：Ｅ比との差異を判定する指標になりうることに着目し、これらの形状因子に対応する情報を表示することで被検者の換気状態の判定を支援できるとの着想を得た。
【００８３】
図９の（Ａ）において、波形情報Ｗ１は、Ｉ：Ｅ比が１：２に設定された人工呼吸器に接続された被検者の呼吸気における二酸化炭素濃度値の増減パターンを示している。図９の（Ｂ）において、波形情報Ｗ２は、Ｉ：Ｅ比が１：１に設定された人工呼吸器に接続された被検者の呼吸気における二酸化炭素濃度値の増減パターンを示している。
【００８４】
表示部１５には、立上り−立下り時間間隔Ｔｒｆと立下り−立上り時間間隔Ｔｆｒの各値が表示されうる。この場合、最も新しく取得された形状因子の値が表示される。立上り−立下り時間間隔Ｔｒｆは、呼気継続時間（Ｅ）に対応付けられうる。立下り−立上り時間間隔Ｔｆｒは、吸気継続時間（Ｉ）に対応付けられうる。したがって、医療従事者は、これらの値を参照することにより、被検者の実際のＩ：Ｅ比を認識できる。実際のＩ：Ｅ比を人工呼吸器において設定されたＩ：Ｅ比と比較することにより、被検者の換気状態の判定が支援されうる。
【００８５】
なお、表示部１５には、立上り−立下り時間間隔Ｔｒｆと立下り−立上り時間間隔Ｔｆｒの比が表示されてもよい。
【００８６】
図１０の（Ａ）は、形状因子として立上り−立上り時間間隔Ｔｒｒが取得される第八の例を示している。本例においては、この形状因子が被検者に生じた呼吸抑制の判定に利用される。
【００８７】
手術後や鎮静処置により被検者に呼吸抑制が生じる場合がある。呼吸抑制が生じると、呼吸数が低下する。二酸化酸素濃度値の最大値と単位時間当たりの呼吸数を測定する従来の装置によっては、呼吸数の低下原因が呼吸抑制によるものであるかを判定することが困難である。本願発明者は、被検者に呼吸抑制が生じた場合に二酸化炭素濃度値の増減パターンにおける立上り−立上り時間間隔Ｔｒｒに特徴的な変化が現れることに着目し、この形状因子に対応する情報を表示することで呼吸抑制の判定を支援できるとの着想を得た。
【００８８】
図１０の（Ａ）は、被検者に呼吸抑制が生じている場合の波形情報Ｗを示している。呼吸数Ｎに顕著な低下傾向が見られる前から、立上り−立上り時間間隔Ｔｒｒが徐々に長くなっていることが判る。
【００８９】
表示部１５には、立上り−立上り時間間隔Ｔｒｒと呼吸数Ｎの各値が表示されうる。この場合、最も新しく取得された形状因子の値が表示される。したがって、医療従事者は、これらの値を参照することにより、被検者に生じた呼吸抑制の判定を支援されうる。
【００９０】
これに加えてあるいは代えて、各値の経時変化を示す標識が、表示部１５に表示されうる。本例においては、先に取得された形状因子の値に対する最も新しく取得された形状因子の値の増減を示す矢印が、標識の一例として表示されている。矢印に加えてあるいは代えて、形状因子の種別を示す文字と形状因子の値を示す文字の少なくとも一方の色が、増減に応じて変更されてもよい。
【００９１】
このような構成によれば、立上り−立上り時間間隔Ｔｒｒと呼吸数Ｎの各経時的変化の傾向が、より直感的に視認されうる。したがって、被検者に生じた呼吸抑制の判定の支援性を高めることができる。
【００９２】
さらに本例においては、経時変化の大きさに応じて標識の表示態様が変更されている。具体的には、立上り−立上り時間間隔Ｔｒｒの経時変化に比べて呼吸数Ｎの経時変化が大きいので、矢印の色が変更されている。このような構成によれば、立上り−立上り時間間隔Ｔｒｒと呼吸数Ｎの各経時的変化の傾向が、より詳細に把握されうる。この標識の表示例は、他の図に示される表示例にも適用可能である。なお、矢印の角度を変えることによって経時変化の大きさが表現されてもよい。あるいは、経時変化の大きさに応じて表示される標識の種別が変更されてもよい。
【００９３】
図３の（Ｂ）、図４の（Ｂ）、図５の（Ｂ）、および図７の（Ｂ）に示した例のように、形状因子の値が取得される度に、すなわち表示部１５に表示される複数の増減パターンの各々に対応づけて形状因子の値が表示されてもよい。このような構成によれば、立上り−立上り時間間隔Ｔｒｒと呼吸数Ｎの各経時的変化のより長期的な傾向が容易に把握されうる。したがって、被検者に生じた呼吸抑制の判定の支援性を高めることができる。
【００９４】
これに加えてあるいは代えて、図１０の（Ｂ）に示されるように、表示部１５に表示されている時間区間における立上り−立上り時間間隔Ｔｒｒと呼吸数Ｎの各経時的変化が、グラフ形式で表示されてもよい。このような構成によっても、立上り−立上り時間間隔Ｔｒｒと呼吸数Ｎの各経時的変化のより長期的な傾向が容易に把握されうる。したがって、被検者に生じた呼吸抑制の判定の支援性を高めることができる。
【００９５】
なお、表示部１５には、立上り−立上り時間間隔Ｔｒｒに代えて立下り−立下り時間間隔Ｔｆｆが表示されてもよい。立下り−立下り時間間隔Ｔｆｆに基づいても同様の判定が可能である。
【００９６】
図１に示されるように、生体情報表示装置１は、報知部１６を備えうる。報知部１６は、取得された形状因子の値が所定の閾値範囲内にない場合に報知を行なうように構成される。報知は、視覚的報知、聴覚的報知、および触覚的報知の少なくとも一つを通じて行なわれる。閾値範囲は、判定の対象に応じて適宜に定められうる。報知の態様は、値が閾値範囲内にない形状因子の種別に応じて相違するように構成されうる。
【００９７】
例えば、図６に示した第四の例および図７に示した第五の例において、立下り速度Ｖｆや波形下面積Ａが所定値を下回った場合に、報知部１６による報知が行なわれうる。当該所定値は、リーク率の程度が確認を要する状態、あるいは許容されざる状態である場合に対応する値として定められうる。このような構成によれば、リーク率の上昇により被検者が低換気状態に陥る事態を未然に防ぎうる。
【００９８】
閾値範囲は、複数の形状因子の組合せに基づいて定められてもよい。例えば、図３に示した第一の例において、立上り角度θｒが所定値を下回り、かつ頂部角度θｐが所定値を上回った場合に、報知部１６による報知が行なわれうる。当該所定は、気道の狭窄の進行が確認を要する状態、あるいは許容されざる状態である場合に対応する値として定められうる。このような構成によれば、被検者に生じる気道の狭窄の進行を早期に確認できる。
【００９９】
すなわち、上記のような構成によれば、形状因子の取得を通じて判定される対象における異常の発生を未然に防いだり、早期に認識したりすることができる。
【０１００】
上記の実施形態は、本開示の理解を容易にするための例示にすぎない。上記の実施形態に係る構成は、本開示の趣旨を逸脱しなければ、適宜に変更・改良されうる。
【０１０１】
上記の実施形態においては、取得された形状因子の値の全てが、表示部１５における表示に供されている。しかしながら、取得された形状因子の値が所定の閾値範囲内にない場合や、当該値が当該閾値範囲から外れる変化の傾向を示している場合に、当該値が表示部１５に表示される構成とされてもよい。
【０１０２】
なお、表示に供される形状因子の種別は、不図示のユーザインターフェースを介してユーザによって選択されうる。選択に係る指示は、入力インターフェース１１に入力され、プロセッサ１２による処理に供される。
【０１０３】
既往歴、年齢、性別、診療科、喫煙の有無などの被検者の属性情報に応じて、表示に供される形状因子の種別が予め定められていてもよい。換言すると、被検者の属性情報と表示部１５における表示に供される形状因子の種別との対応関係が、予め定められうる。
【０１０４】
例えば、被検者に慢性閉塞性肺疾患の疾病履歴がある旨の属性情報が入力インターフェース１１に入力されると、プロセッサ１２は、特定の形状因子に係る情報（例えば、立上り角度θｒと頂部角度θｐの少なくとも一方の値、値の経時変化、および経時変化を示す標識の少なくとも一つ）が表示に供され、それ以外の形状因子に係る情報が表示されないように、設定を自動的に行ないうる。予め定められた対応関係に基づいて表示された形状因子に係る情報は、上述のユーザインターフェースを介し、ユーザの要望に応じて変更されうる。
【０１０５】
取得される波形情報Ｗに係る生体情報とは別の生体情報に応じて、表示に供される形状因子の種別が予め定められていてもよい。この場合、入力インターフェース１１と接続されるセンサＳは、複数あるいは複数種でありうる。
【０１０６】
例えば、他のセンサＳから入力インターフェース１１に入力される信号に基づいて、心電図や血圧に係る生体情報の値の異常や正常範囲から逸脱する変化傾向が判断されうる。この場合、プロセッサ１２は、特定の形状因子に係る情報（例えば、波形下面積Ａの値、値の経時変化、および経時変化を表す標識の少なくとも一つ）が表示に供され、それ以外の形状因子に係る情報が表示されないように、設定を自動的に行ないうる。心電図や血圧に係る生体情報の異常に関連付けて波形情報Ｗの波形下面積Ａが考慮されることにより、例えば被検者の肺血流量低下による換気量の低下が判断されうる。予め定められた対応関係に基づいて表示された形状因子に係る情報は、上述のユーザインターフェースを介し、ユーザの要望に応じて変更されうる。
【０１０７】
生体情報表示装置１とは別の外部医療機器の動作パラメータ情報に応じて、表示に供される形状因子の種別が予め定められていてもよい。外部医療機器としては、人工呼吸器が例示されうる。当該動作パラメータ情報としては、換気量やリーク率が例示されうる。この場合、生体情報表示装置１と人工呼吸器が通信可能に接続され、動作パラメータ情報に対応する信号が入力インターフェース１１に入力される。
【０１０８】
例えば、換気量やリーク率に対応する信号が入力インターフェース１１に入力されると、プロセッサ１２は、特定の形状因子に係る情報（例えば、立上り角度θｒと頂部角度θｐの少なくとも一方の値、値の経時変化、および経時変化を示す標識の少なくとも一つ）が表示に供され、それ以外の形状因子に係る情報が表示されないように、設定を自動的に行ないうる。動作パラメータ情報もまた、表示部１５に表示されうる。人工呼吸器の動作パラメータ情報に関連付けて被検者の二酸化炭素濃度値の形状因子が考慮されることにより、二酸化炭素濃度値の低下原因の判断を支援できる。予め定められた対応関係に基づいて表示された形状因子に係る情報は、上述のユーザインターフェースを介し、ユーザの要望に応じて変更されうる。
【０１０９】
上記の実施形態においては、波形情報Ｗの形状因子の値を取得するプロセッサ１２と当該値に対応する情報が表示される表示部１５が同じ装置内に設けられている。しかしながら、形状因子の値の取得と当該値に対応する情報の表示とは、独立した装置により行なわれてもよい。
【０１１０】
図１１は、そのような動作を実現しうる表示制御装置２を備えている。図１に示される生体情報表示装置１の構成要素と実質的に同一の構成要素については、同一の参照符号を付与して繰り返しとなる説明を省略する。
【０１１１】
表示制御装置２は、通信ネットワークを介して表示装置３と接続されうる。表示制御装置２は、出力インターフェース２１を備えている。プロセッサ１２は、取得された形状因子の値に対応する情報を表示装置３に表示させる制御信号を、出力インターフェース２１に出力させうる。
【０１１２】
上記の実施形態においては、被検者の生体情報として呼吸気における二酸化炭素濃度（分圧）を例示した。しかしながら、上記の構成は、同様の変化傾向が繰り返し現れつつ経時変化する生体情報の表示に適用されうる。そのような生体情報としては、呼吸気における酸素濃度（分圧）、脈波、心電図、脳波などが例示されうる。
【符号の説明】
【０１１３】
１：生体情報表示装置、１１：入力インターフェース、１２：プロセッサ、１３：メモリ、１５：表示部、１６：報知部、２：表示制御装置、２１：出力インターフェース、３：表示装置、Ｗ：波形情報、θｒ：立上り角度、θｐ：頂部角度、θｆ：立下り角度、Ｖｒ：立上り速度、Ｖｐ：頂部速度、Ｖｆ：立下り速度、Ｖｒａ：Ｖｒの絶対値、Ｖｐａ：Ｖｔの絶対値、Ｖｆａ：Ｖｆの絶対値、Ｔｒｆ：立上り−立下り時間間隔、Ｔｆｒ：立下り−立上り時間間隔、Ｔｒｒ：立上り−立上り時間間隔、Ｔｆｆ：立下り−立下り時間間隔、Ａ：波形下面積
【図１】
2019150560.tif 000003
【図２】
2019150560.tif 000004
【図３】
2019150560.tif 000005
【図４】
2019150560.tif 000006
【図５】
2019150560.tif 000007
【図６】
2019150560.tif 000008
【図７】
2019150560.tif 000009
【図８】
2019150560.tif 000010
【図９】
2019150560.tif 000011
【図１０】
2019150560.tif 000012
【図１１】
2019150560.tif 000013